【事件の表示】
　平成１１年商標登録願第１１１７１７号拒絶査定に対する審判事件について、次のとおり審決する。
【結論】
　原査定を取り消す。
　本願商標は、登録すべきものとする。
【理由】
１　本願商標
　本願商標は、別掲１のとおりの構成よりなり、第３５類、第３６類、第３７類、第３８類、第３９類、第４０類、第４１類及び第４２類に属する願書記載のとおりの役務を指定役務として平成１１年１２月６日登録出願されたものである。
　そして、願書記載の指定役務については、平成１２年１２月２１日付け手続補正書により、第３５類「広告，トレーディングスタンプの発行，経営の診断及び指導，市場調査，ホテルの事業の管理，財務書類の作成，職業のあっせん，競売の運営，輸出入に関する事務の代理又は代行，新聞の予約購読の取次ぎ，書類の複製，速記，筆耕，電子計算機・タイプライター・テレックス又はこれらに準ずる事務用機器の操作，文書又は磁気テープのファイリング，建築物における来訪者の受付及び案内，広告用具の貸与，タイプライター・複写機及びワードプロセッサの貸与，商品の販売（販売の促進を含む。）に関する情報の提供，トレーディングスタンプの発行に関する情報の提供，広告情報の提供，広告用具の貸与に関する情報の提供，企業に関する情報の提供，企業経営ノウハウに関する情報の提供，競売に関する情報の提供，料金割引を受けられる店に関する情報の提供，経営に関する情報の提供，経済情報の提供，経理事務に関する情報の提供，事業情報の提供，商業に関する情報の提供，市場の動向・市場調査に関する情報の提供，事務処理に関する情報の提供，タイプライター・複写機及びワードプロセッサの貸与に関する情報の提供，職業のあっせんに関する情報の提供，統計的情報の提供，輸出入に関する情報の提供，建築物における来訪者の受付及び案内に関する情報の提供」、第３６類「預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，割賦購入あっせん，前払式証票の発行，ガス料金又は電気料金の徴収の代行，有価証券の売買，有価証券指数等先物取引，有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，生命保険契約の締結の媒介，生命保険の引受け，損害保険契約の締結の代理，損害保険に係る損害の査定，損害保険の引受け，保険料率の算出，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，骨董品の評価，美術品の評価，宝玉の評価，企業の信用に関する調査，慈善のための募金，クレジットカード利用者に代わってする支払代金の清算，ゴルフ会員権の売買の媒介・取次ぎ又は代理，有価証券に係る投資顧問契約に基づく助言，商品先物取引の媒介，図書券・おもちゃ券・米券・清酒券その他のプリペイドカードの発行，生命保険の引受けに関する情報の提供，損害保険に係る損害の査定に関する情報の提供，為替市況に関する情報の提供，商品先物取引市況に関する情報の提供，金融情報の提供，証券投資に関する情報の提供，有価証券に関する情報の提供，金銭債権に関する情報の提供，債務の保証及び手形の引受けに関する情報の提供，ゴルフ会員権に関する情報の提供，前払式証票の発行に関する情報の提供，資金の貸付けに関する情報の提供，預金の受入れ（債券の発行により代える場合を含む。）・振込入金・取立入金・自動引き落とし・入出金明細・残高照会に関する情報の提供，クレジットカードの利用金額に関する情報の提供，金利情報の提供，投資に関する情報の提供，債券の募集の受託に関する情報の提供，有価証券の引受けに関する情報の提供，保険情報の提供，税金に関する情報の提供，財務に関する情報の提供，企業の信用に関する調査についての情報の提供，信用状に関する業務についての情報の提供，骨董品・美術品及び宝玉の評価に関する情報の提供，年金に関する情報の提供」、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設置工事，さく井工事，電気工事，電気通信工事，熱絶縁工事，建築設備の運転，船舶の建造，船舶の修理又は整備，航空機の修理又は整備，自転車の修理，自動車の修理又は整備，鉄道車両の修理又は整備，二輪自動車の修理又は整備，育雛器の修理又は保守，ふ卵器の修理又は保守，医療用機械器具の修理又は保守，印刷用又は製本用の機械器具の修理又は保守，映写機の修理又は保守，写真機械器具の修理又は保守，エレベーターの修理又は保守，化学機械器具の修理又は保守，火災報知機の修理又は保守，ガソリンステーション用装置の修理又は保守，ガラス器製造機械の修理又は保守，機械式駐車装置の修理又は保守，牛乳ろ過器の修理又は保守，搾乳機の修理又は保守，業務用食器洗浄機の修理又は保守，業務用電気洗濯機の修理又は保守，漁業用機械器具の修理又は保守，金属加工機械器具の修理又は保守，靴製造機械の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，工業用炉の修理又は保守，鉱山機械器具の修理又は保守，ゴム製品製造機械器具の修理又は保守，蚕種製造用又は養蚕用の機械器具の修理又は保守，自動販売機の修理又は保守，銃砲の修理又は保守，浄水装置の修理又は保守，照明用器具の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，測定機械器具の修理又は保守，たばこ製造機械の修理又は保守，暖冷房装置の修理又は保守，バーナーの修理又は保守，ボイラーの修理又は保守，ポンプの修理又は保守，冷凍機械器具の修理又は保守，貯蔵槽類の修理又は保守，電気通信機械器具（電話機・ラジオ受信機及びテレビジョン受信機を除く。）の修理又は保守，電話機の修理，ラジオ受信機又はテレビジョン受信機の修理，電子計算機（中央処理装置及び電子計算機用プログラムを記憶させた電子回路・磁気ディスクその他の周辺機器を含む。）の修理又は保守，配電用又は制御用の機械器具の修理又は保守，発電機の修理又は保守，電動機の修理又は保守，塗装機械器具の修理又は保守，乗物用洗浄機の修理又は保守，土木機械器具の修理又は保守，廃棄物圧縮装置の修理又は保守，廃棄物破砕装置の修理又は保守，パルプ製造用・製紙用又は紙工用の機械器具の修理又は保守，半導体製造装置の修理又は保守，美容院用又は理髪店用の機械器具の修理又は保守，プラスチック加工機械器具の修理又は保守，包装用機械器具の修理又は保守，ミシンの修理又は保守，民生用電気機械器具の修理又は保守，遊園地用機械器具の修理又は保守，理化学機械器具の修理又は保守，運動用具の修理，おもちゃ又は人形の修理，家具の修理，傘の修理，ガス湯沸かし器の修理又は保守，加熱器の修理又は保守，なべ類の修理又は保守，楽器の修理又は保守，かばん類又は袋物の修理，金庫の修理又は保守，靴の修理，錠前の取付け又は修理，洗浄機能付き便座の修理，釣り具の修理，時計の修理又は保守，はさみ研ぎ及びほうちょう研ぎ，ビリヤード用具の修理，遊戯用器具の修理，身飾品の修理，眼鏡の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，し尿処理槽の清掃，貯蔵槽類の清掃，道路の清掃，浴槽又は浴槽がまの清掃，電話機の消毒，有害動物の防除（農業・園芸又は林業に関するものを除く。），洗車機の貸与，電気洗濯機の貸与，土木機械器具の貸与，床洗浄機の貸与，モップの貸与，工事に関する情報の提供，修理情報の提供，洗濯・被服のプレスに関する情報の提供，洗濯機・衣類乾燥機の貸与に関する情報の提供，建物の内外の清掃・洗浄に関する情報の提供，床洗浄機及びモップの貸与に関する情報の提供，洗車場の提供に関する情報の提供，洗車機の貸与に関する情報の提供，電話機の消毒に関する情報の提供，有害動物の防除（農業・園芸又は林業に関するものを除く。）に関する情報の提供，土木機械器具の貸与に関する情報の提供」、第３８類「移動体電話による通信，テレックスによる通信，電子計算機端末による通信，電報による通信，電話による通信，ファクシミリによる通信，無線呼出し，テレビジョン放送，有線テレビジョン放送，ラジオ放送，報道をする者に対するニュースの供給，電話機・ファクシミリその他の通信機器の貸与，データ通信に関する情報の提供，電波を利用した通信に関する情報の提供，電話帳記載情報の提供，移動体電話による通信に関する情報の提供，テレックスによる通信に関する情報の提供，電子計算機端末による通信に関する情報の提供，電報による通信に関する情報の提供，電話による通信に関する情報の提供，ファクシミリによる通信に関する情報の提供，無線呼出しに関する情報の提供，テレビジョン放送に関する情報の提供，有線テレビジョン放送に関する情報の提供，ラジオ放送に関する情報の提供，報道をする者に対するニュースの供給に関する情報の提供，電話機・ファクシミリその他の通信機器の貸与に関する情報の提供」、第３９類「鉄道による輸送，車両による輸送，船舶による輸送，航空機による輸送，貨物のこん包，貨物の積卸し，貨物の輸送の媒介，船舶の貸与・売買又は運航の委託の媒介，船舶の引揚げ，水先案内，主催旅行の実施，旅行者の案内，旅行に関する契約（宿泊に関するものを除く。）の代理・媒介又は取次ぎ，寄託を受けた物品の倉庫における保管，他人の携帯品の一時預かり，ガスの供給，電気の供給，水の供給，熱の供給，係留施設の提供，倉庫の提供，駐車場の提供，飛行場の提供，車いすの貸与，自転車の貸与，航空機の貸与，コンテナの貸与，パレットの貸与，自動車の貸与，船舶の貸与，包装用機械器具の貸与，航空機による輸送に関する情報の提供，車両による輸送に関する情報の提供，船舶による輸送に関する情報の提供，船舶の引揚げ・貸与・売買又は運行の委託の媒介に関する情報の提供，鉄道による輸送に関する情報の提供，道路・有料道路の料金・走行距離及び渋滞に関する情報の提供，貨物のこん包・輸送の媒介に関する情報の提供，旅行（宿泊に関するものを除く。）情報の提供，主催旅行の実施に関する情報の提供，旅行に関する契約（宿泊に関するものを除く。）の代理・媒介又は取次ぎに関する情報の提供，物品の保管・貨物の保管に関する情報の提供，倉庫及び駐車場の提供に関する情報の提供，ガス・電気及び水の供給に関する情報の提供，コンテナ・パレットの貸与に関する情報の提供，自動車の貸与に関する情報の提供，船舶の貸与に関する情報の提供，水先案内に関する情報の提供」、第４０類「布地・被服又は毛皮の加工処理（乾燥処理を含む。），裁縫，ししゅう，紙の加工，ゴムの加工，プラスチックの加工，食料品の加工，石材の加工，セラミックの加工，電気めっき，フライス削り，焼きなまし，焼き戻し，溶融めっき，剥製，木材の加工，映画用フィルムの現像，写真の引き伸ばし，写真の焼付け，写真用フィルムの現像，製本，一般廃棄物の処分，産業廃棄物の処分，廃棄物の再生，グラビア製版，化学機械器具の貸与，ガラス器製造機械の貸与，金属加工機械器具の貸与，靴製造機械の貸与，写真の現像用・焼付け用・引き伸ばし用又は仕上げ用の機械器具の貸与，食料加工用又は飲料加工用の機械器具の貸与，製材用・木工用又は合板用の機械器具の貸与，製本機械の貸与，繊維機械器具の貸与，たばこ製造機械の貸与，廃棄物圧縮装置の貸与，廃棄物破砕装置の貸与，パルプ製造用・製紙用又は紙工用の機械器具の貸与，布地・被服又は毛皮の加工処理（乾燥処理を含む。）情報の提供，裁縫・ししゅうの情報の提供，電気めっき・フライス削り・焼きなまし・焼き戻し・溶融めっきの情報の提供，映画用フィルムの現像・写真の引き伸ばし・写真の焼付・写真用フィルムの現像の情報の提供，磁気カード表面への写真の焼付けに関する情報の提供，製本情報の提供，磁気加工処理に関する情報の提供，物品の加工に関する情報の提供，紙の加工に関する情報の提供，ゴムの加工に関する情報の提供，プラスチックの加工に関する情報の提供，食料品の加工に関する情報の提供，石材の加工に関する情報の提供，セラミックの加工に関する情報の提供，剥製に関する情報の提供，木材の加工に関する情報の提供，一般廃棄物の処分に関する情報の提供，産業廃棄物の処分に関する情報の提供，廃棄物の再生に関する情報の提供，グラビア製版に関する情報の提供，化学機械器具の貸与に関する情報の提供，ガラス器製造機械の貸与に関する情報の提供，金属加工機械器具の貸与に関する情報の提供，靴製造機械の貸与に関する情報の提供，写真の現像用・焼き付け用・引き伸ばし用又は仕上げ用の機械器具の貸与に関する情報の提供，食用加工用又は飲料加工用の機械器具の貸与に関する情報の提供，製材用・木工用又は合板用の機械器具の貸与に関する情報の提供，製本機械の貸与に関する情報の提供，繊維機械器具の貸与に関する情報の提供，たばこ製造機械の貸与に関する情報の提供，廃棄物圧縮装置の貸与に関する情報の提供，廃棄物破砕装置の貸与に関する情報の提供，パルプ製造用・製紙用又は紙工用の機械器具の貸与に関する情報の提供」、第４１類「技芸・スポーツ又は知識の教授，動物の調教，植物の供覧，動物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，競馬の企画・運営又は開催，競輪の企画・運営又は開催，競艇の企画・運営又は開催，小型自動車競走の企画・運営又は開催，当せん金付証票の発売，音響用又は映像用のスタジオの提供，運動施設の提供，娯楽施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録音済みコンパクトディスクの貸与，録画済みビデオディスク及びビデオテープの貸与，ビデオカメラの貸与，おもちゃの貸与，家庭用テレビゲームおもちゃの貸与，遊園地用機械器具の貸与，遊戯用器具の貸与，技芸・スポーツ又は知識の教授に関する情報の提供，動物の調教に関する情報の提供，動植物の供覧に関する情報の提供，美術品の展示に関する情報の提供，映画・演芸・演劇又は音楽演奏の興行に関する情報の提供，映画の制作又は配給に関する情報の提供，スポーツの興行の企画・運営又は開催に関する情報の提供，美容コンテストの企画・運営又は開催に関する情報の提供，魚つり大会の開催に関する情報の提供，ファッションショーの企画・運営に関する情報の提供，競馬・競輪・競艇・自動車競走の開催又はレース結果の情報の提供，音響用又は映像用のスタジオ・カラオケ施設の提供に関する情報の提供，運動施設・娯楽施設に関する情報の提供，つり船による釣り場の案内に関する情報の提供，興行場の座席の手配に関する情報の提供，ゴルフ場及びゴルフ教室の空き情報の提供及び予約，映写機及びその附属品・映写フィルム・ネガフィルムの貸与に関する情報の提供，スキー用具・スキンダイビング用具の貸与に関する情報の提供，テレビジョン受信機・ラジオ受信機の貸与に関する情報の提供，ビデオカメラの貸与に関する情報の提供，レコード又は録音済み磁気テープの貸与・録音済みコンパクトディスクの貸与・録画済みビデオディスク及びビデオテープの貸与に関する情報の提供，家庭用テレビゲームおもちゃの貸与・おもちゃの貸与に関する情報の提供，遊園地用機械器具の貸与・遊戯用器具の貸与に関する情報の提供」及び第４２類「宿泊施設の提供，宿泊施設の提供の契約の媒介又は取次ぎ，飲食物の提供，入浴施設の提供，写真の撮影，オフセット印刷，グラビア印刷，スクリーン印刷，石版印刷，凸版印刷，結婚又は交際を希望する者への異性の紹介，婚礼（結婚披露を含む。）のための施設の提供，葬儀の執行，墓地又は納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，地質の調査，機械・装置若しくは器具（これらの部品を含む。）又はこれらにより構成される設備の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，通訳，翻訳，施設の警備，身辺の警備，個人の身元又は行動に関する調査，医療情報の提供，老人の養護，編み機の貸与，ミシンの貸与，衣服の貸与，植木の貸与，カーテンの貸与，家具の貸与，壁掛けの貸与，敷物の貸与，会議室の貸与，展示施設の貸与，カメラの貸与，光学機械器具の貸与，漁業用機械器具の貸与，鉱山機械器具の貸与，計測器の貸与，コンバインの貸与，祭壇の貸与，自動販売機の貸与，芝刈機の貸与，火災報知機の貸与，消火器の貸与，タオルの貸与，暖冷房装置の貸与，超音波診断装置の貸与，加熱器の貸与，調理台の貸与，流し台の貸与，凸版印刷機の貸与，電子計算機（中央処理装置及び電子計算機用プログラムを記憶させた電子回路・磁気ディスク・磁気テープその他の周辺機器を含む。）の貸与，美容院用又は理髪店用の機械器具の貸与，布団の貸与，理化学機械器具の貸与，ルームクーラーの貸与，宿泊施設の提供の契約の媒介又は取次ぎに関する情報の提供，宿泊施設に関する情報の提供，会議室及び多目的ホールの提供に関する情報の提供，写真の撮影に関する情報の提供，印刷に関する情報の提供，気象情報の提供，求人情報の提供，個人の信用に関する情報の提供，結婚又は交際を希望する者への異性の紹介に関する情報の提供，一般廃棄物又は産業廃棄物の収集及び分別に関する情報の提供，上水及び下水業務の分析・技術指導・試験・研究・報告及び情報の提供，公害に関する環境の調査についての情報の提供，庭園・花壇の手入れ又は庭園樹の植樹に関する情報の提供肥料の散布に関する情報の提供，雑草の防除に関する情報の提供，有害動物の防除（農業・園芸又は林業に関するものに限る。），建築又は都市計画に関する情報の提供，建築物の設計及び土木の設計の監理に関する情報の提供，測量に関する情報の提供，地質の調査に関する情報の提供，デザインの考案に関する情報の提供，ファッション情報の提供，電子計算機のプログラムの設計・作成又は保守に関する情報の提供，医薬品・化粧品又は食品の試験・検査又は研究に関する情報の提供，公害の防止に関する試験又は研究についての情報の提供，電気に関する試験又は研究についての情報の提供，土木に関する試験又は研究についての情報の提供，農業・畜産又は水産に関する試験・検査又は研究についての情報の提供，非破壊検査機器の研究・開発に関する情報の提供，技術情報の提供，知的所有権に関する情報の提供，ネーミングの考案に関する情報の提供，法律・判決に関する情報の提供，通訳・翻訳に関する情報の提供，ニュースレポーターによる取材・報告，各国の政情不安・暴動・テロ・誘拐・一般犯罪・自然災害・重大事故等の危険情報の提供，施設の警備・身辺の警備に関する情報の提供，個人の身元又は行動に関する調査についての情報の提供，政府経済政策情報の提供，新聞・雑誌記事情報の提供，あん摩・マッサージ及び指圧・きゅう・柔道整復・はりに関する情報の提供，医業・健康診断・歯科医業・調剤に関する情報の提供，家畜の診療に関する情報の提供，保育に関する情報の提供，健康管理に関する指導及び情報の提供，健康・医療・介護・社会福祉に関する情報の提供，栄養の指導に関する情報の提供，入浴施設の提供に関する情報の提供，編み機の貸与に関する情報の提供，ミシンの貸与に関する情報の提供，衣服の貸与に関する情報の提供，植木の貸与に関する情報の提供，計測器の貸与に関する情報の提供，コンバインの貸与に関する情報の提供，祭壇の貸与に関する情報の提供，自動販売機の貸与に関する情報の提供，消火器の貸与に関する情報の提供，超音波診断装置の貸与に関する情報の提供，展示施設の貸与に関する情報の提供，電子計算機（中央処理装置及び電子計算機用プログラムを記憶させた電子回路・磁気ディスク・磁気テープその他の周辺機器を含む。）の貸与に関する情報の提供，布団の貸与に関する情報の提供，ルームクーラーの貸与に関する情報の提供，飲食物の提供に関する情報の提供，結婚式場・宴会場に関する情報の提供，葬儀の執行並びに墓地又は納骨堂の提供に関する情報の提供」と補正されたものである。
２　引用の登録商標
　原査定が、本願商標は商標法第４条第１項第１１号に該当するものであるとして、その出願の拒絶に引用した登録第３０３１４１３号商標（平成４年９月１８日登録出願、平成７年３月３１日設定登録）、同第３０６２０５３号商標（平成４年９月１８日登録出願、平成７年７月３１日設定登録）、同第３０９７２４１号商標（平成４年９月１８日登録出願、平成７年１１月３０日設定登録）、同第３０９７２４３号商標（平成４年９月２８日登録出願、平成７年１１月３０日設定登録）、同第３１０２６９１号商標（平成４年９月１８日登録出願、平成７年１２月２６日設定登録）、同第３１０２６９４号商標（平成４年９月２９日登録出願、平成７年１２月２６日設定登録）、同第３１０２７２４号商標（平成４年９月１８日登録出願、平成７年１２月２６日設定登録）、同第３１０２７２７号商標（平成４年９月３０日登録出願、平成７年１２月２６日設定登録）、同第３１１６６３４号商標（平成４年９月１８日登録出願、平成８年１月３１日設定登録）、同第３１２１８８７号商標（平成４年９月１８日登録出願、平成８年２月２９日設定登録）、同第３１３２８９７号商標（平成４年９月１８日登録出願、平成８年３月２９日設定登録）及び同第３１９９６５２号商標（平成４年９月２９日登録出願、平成８年９月３０日設定登録）は、いずれも別掲２に示すとおりの構成よりなり、指定役務についてはそれぞれ商標登録原簿記載のとおりである（以下、これらをまとめて「引用商標」という。）。
３　当審の判断
　本願商標は、別掲１のとおり、欧文字「ａ」を図案化した図形を大きく描き、該図形の一部に重なるよう「ｃｏｍｍｙ」の文字を書してなるものである。
　他方、引用商標は、別掲２のとおり、欧文字「ａ」を図案化した図形の下段に「ＡＵＴＯＢＡＣＳ」の文字を書してなるものである。
　本願商標と引用商標を比較するに、両商標は、欧文字「ａ」を図案化した図形を有するという点においては共通するものの、本願商標は、該図形部分が直線を基調として表されており、その一部に交差するように「ｃｏｍｍｙ」の文字が組まれ、この図形部分と文字部分とは、その色調を灰色と黒色と違えてはいるが、バランスよく配されていることにより、全体として一個のまとまりある商標として看者に印象付けられるものであって、文字部分を除いた図形部分のみが独立して看者の認識の対象となるとは到底認め難いところであるのに対し、引用商標は、該図形部分が曲線を基調として表されているばかりでなく、図形部分と文字部分とは重なることなく上下二段に配され、図形と文字との結合商標として認識されるものである。
　そうしてみると、本願商標と引用商標とは、その全体の外観形象はもとより、欧文字「ａ」を図案化した図形部分においてもその基調とする態様に差異がみられ、印象を異にするばかりでなく、本願商標にあっては前記図形部分が独立した標識部分として認識し得ない点をも考慮すれば、時と処を異にして接した場合も、彼此相紛れるおそれはないものと判断するのが相当である。
　してみれば、本願商標と引用商標とは、外観において類似するものではなく、他に両商標を類似のものとすべき点はない。
　したがって、本願商標は商標法第４条第１項第１１号に該当するものとして、その出願を拒絶すべきでない。
　その他、本願について拒絶の理由を発見しない。
　よって、結論のとおり審決する。